【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
（ａ）有機ポリマー及び
（ｂ）以下の成分
（ｂ−０）光増感剤、
（ｂ−Ｉ）遷移金属の有機塩、及び所望により
（ｂ−ＩＩ）無機過酸化物又は無機超酸化物
を含む添加剤混合物
を含む組成物から作られた農業用品。
【請求項２】
成分（ｂ−Ｉ）は、炭素原子数２ないし３６のカルボン酸の、Ｆｅ、Ｃｅ、Ｃｏ、Ｍｎ、Ｃｕ又はＶ塩である、請求項１に記載の農業用品。
【請求項３】
成分（ｂ−ＩＩ）は、アルカリ金属、アルカリ土類金属又は遷移金属の無機過酸化物、或いはアルカリ金属、アルカリ土類金属又は遷移金属の無機超酸化物である、請求項１に記載の農業用品。
【請求項４】
成分（ｂ−０）は、ポリテルペン樹脂、又はアントラキノン誘導体である、請求項１に記載の農業用品。
【請求項５】
成分（ｂ−０）が、式（Ａ）又は（Ｂ）
【化１】
2008534759.tif 000001
【化２】
2008534759.tif 000002
［式中、
Ｒ1、Ｒ2、Ｒ3、Ｒ4、Ｒ5、Ｒ6、Ｒ7及びＲ8は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、ポリオキシアルキレン残基；又は基−Ｏ−Ｘ1、−Ｃ（Ｏ）−Ｘ2、−Ｏ−Ｃ（Ｏ）−Ｘ3、
−Ｃ（Ｏ）−Ｏ−Ｘ4、−Ｎ（Ｘ5）（Ｘ6）、−Ｓ−Ｘ7、−ＳＯ2−Ｏ−Ｘ8、又は−ＳＯ2−Ｎ（Ｘ9）（Ｘ10）を表し、
Ｘ1、Ｘ2、Ｘ3、Ｘ4、Ｘ5、Ｘ6、Ｘ7、Ｘ8、Ｘ9及びＸ10は、互いに独立して、水素原子
、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表すが；但し、Ｒ1、Ｒ2、Ｒ3、Ｒ4、Ｒ5、
Ｒ6、Ｒ7及びＲ8からなる群のうち少なくとも１つの基は水素原子とは異なり；
ｎは２又は３を表し、
ｎが２を表す場合、Ａは、基−Ｙ1−Ｚ1−Ｙ2−又は基−ＳＯ2−Ｎ（Ｇ0）−Ｚ1−Ｎ（Ｇ1）−ＳＯ2−を表し、
Ｙ1及びＹ2は、互いに独立して、＞Ｎ−Ｇ2、−Ｏ−又は−Ｓ−を表し、
Ｚ1は、炭素原子数２ないし１２のアルキレン基、酸素原子、硫黄原子又は＞Ｎ−Ｇ3によ
り中断された炭素原子数２ないし１６のアルキレン基；炭素原子数２ないし１２のアルケニレン基、炭素原子数２ないし１２のアルキニレン基、炭素原子数５ないし１２のシ
クロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基又は式
【化３】
2008534759.tif 000003
で表される基を表し、
Ｙ3は、−Ｏ−Ｇ4、−Ｓ−Ｇ5又は−Ｎ（Ｇ6）（Ｇ7）を表し、
Ｇ0、Ｇ1、Ｇ2、Ｇ3、Ｇ4、Ｇ5、Ｇ6及びＧ7は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；
ｎが３を表す場合、Ａは、基−Ｙ4−Ｚ2（Ｙ5−）（Ｙ6−）を表し、
Ｙ4、Ｙ5及びＹ6は、互いに独立して、−Ｎ（Ｇ8）−、−Ｏ−、−Ｓ−、又は−Ｎ（Ｇ9
）−ＳＯ2−を表し、
Ｇ8及びＧ9は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し、及び
Ｚ2は、炭素原子数５ないし２５のアルカントリイル基又は２，４，６−トリアジントリ
イル基を表す。］
で表されるアントラキノン誘導体である、請求項１に記載の農業用品。
【請求項６】
成分（ｂ−０）は、ポリ−β−ピネン又は１，２−ビス［２−エチルヘキシルオキシ］アントラキノンであり、
成分（ｂ−Ｉ）は、ステアリン酸マンガンであり、及び
成分（ｂ−ＩＩ）は、過酸化カルシウムである、
請求項１に記載の農業用品。
【請求項７】
以下の成分
（ｂ−０）ポリテルペン、及び
（ｂ−Ｉ）炭素原子数２ないし３６のカルボン酸の、Ｆｅ、Ｃｅ、Ｍｎ、Ｃｕ又はＶ塩を含む添加剤混合物。
【請求項８】
以下の成分
（ｂ−ＩＩＩ）充填材又は強化材、
（ｂ−ＩＶ）顔料、
（ｂ−Ｖ）光安定剤、
（ｂ−ＶＩ）加工添加剤、
（ｂ−ＶＩＩ）抗酸化剤、
（ｂ−ＶＩＩＩ）Ｃａ、Ｍｇ、Ｚｎ又はＡｌの無機又は有機塩、或いは、Ｃａ、Ｍｇ、Ｚｎ又はＡｌの酸化物
の１種以上をさらに含む、請求項１に記載の農業用品。
【請求項９】
マルチフィルム、小トンネル用フィルム、バナナバッグ、ダイレクトカバー、不織布、より糸及び鉢からなる群より選択される、請求項１に記載の農業用品。
【請求項１０】
有機ポリマーから作られた農業用品の耐候性及び分解を制御する方法であって、該方法は、請求項１に定義される添加剤混合物を該有機ポリマーに配合することを含む、方法。
【請求項１１】
以下の成分
（ｂ−０）光増感剤、
（ｂ−Ｉ）遷移金属の有機塩、及び所望により
（ｂ−ＩＩ）無機過酸化物又は無機超酸化物
を含む添加剤混合物。
【請求項１２】
以下の成分
（ｂ−０）光増感剤、
（ｂ−Ｉ）遷移金属の有機塩、及び
（ｂ−Ｖ）式
【化４】
2008534759.tif 000004
で表される２，２，６，６−テトラメチルピペリジン−１，４−ジイル基を含む光安定剤を含む添加剤混合物。
【請求項１３】
以下の成分
（ｂ−０）光増感剤、
（ｂ−Ｉ）遷移金属の有機塩、及び
（ｂ−ＩＶ）カーボンブラック
を含む添加剤混合物。
【請求項１４】
以下の成分
（ｂ−０）式（Ａ★）又は（Ｂ★）
【化５】
2008534759.tif 000005
【化６】
2008534759.tif 000006
［式中、
Ｒ1、Ｒ2、Ｒ3、Ｒ4、Ｒ5、Ｒ6、Ｒ7及びＲ8は、互いに独立して、水素原子、炭素原子数８ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、ポリオキシアルキレン残基；又は基−Ｏ−Ｘ1、−Ｃ（Ｏ）−Ｘ2、−Ｏ−Ｃ（Ｏ）−Ｘ3、
−Ｃ（Ｏ）−Ｏ−Ｘ4、−Ｎ（Ｘ5）（Ｘ6）、−Ｓ−Ｘ7、−ＳＯ2−Ｏ−Ｘ8、又は−ＳＯ2−Ｎ（Ｘ9）（Ｘ10）を表し、
Ｘ1、Ｘ2、Ｘ3、Ｘ4、Ｘ5、Ｘ6、Ｘ7、Ｘ8、Ｘ9及びＸ10は、互いに独立して、水素原子
、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；及び
Ｘ1は、さらに炭素原子数８ないし２０のアルキル基を表し；及び
Ｘ2、Ｘ3、Ｘ4、Ｘ5、Ｘ6、Ｘ7、Ｘ8、Ｘ9及びＸ10は、互いに独立して、さらに炭素原子数１ないし２０のアルキル基を表すが；但し、Ｒ1、Ｒ2、Ｒ3、Ｒ4、Ｒ5、Ｒ6、Ｒ7及び
Ｒ8からなる群のうち少なくとも１つの基は水素原子とは異なり；
ｎは２又は３を表し、
ｎが２を表す場合、Ａは、基−Ｙ1−Ｚ1−Ｙ2−又は基−ＳＯ2−Ｎ（Ｇ0）−Ｚ1−Ｎ（Ｇ1）−ＳＯ2−を表し、
Ｙ1及びＹ2は、互いに独立して、＞Ｎ−Ｇ2、−Ｏ−又は−Ｓ−を表し、
Ｚ1は、炭素原子数２ないし１２のアルキレン基、酸素原子、硫黄原子又は＞Ｎ−Ｇ3により中断された炭素原子数２ないし１６のアルキレン基；炭素原子数２ないし１２のアルケニレン基、炭素原子数２ないし１２のアルキニレン基、炭素原子数５ないし１２のシクロアルキレン基、炭素原子数５ないし１２のシクロアルキレン−（炭素原子数１ないし４のアルキレン）−炭素原子数５ないし１２のシクロアルキレン基、炭素原子数１ないし４のアルキレン−（炭素原子数５ないし１２のシクロアルキレン）−炭素原子数１ないし４のアルキレン基、フェニレン基、フェニレン−（炭素原子数１ないし４のアルキレン）−フェニレン基又は炭素原子数１ないし４のアルキレン−フェニレン−炭素原子数１ないし４のアルキレン基又は式
【化７】
2008534759.tif 000007
で表される基を表し、
Ｙ3は、−Ｏ−Ｇ4、−Ｓ−Ｇ5又は−Ｎ（Ｇ6）（Ｇ7）を表し、
Ｇ0、Ｇ1、Ｇ2、Ｇ3、Ｇ4、Ｇ5、Ｇ6及びＧ7は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし９のシクロアルケニル基、１、２又は３個の炭素原子数１ないし１０のアルキル基により置換された炭素原子数５ないし９のシクロアルケニル基
；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し；
ｎが３を表す場合、Ａは、基−Ｙ4−Ｚ2（Ｙ5−）（Ｙ6−）を表し、
Ｙ4、Ｙ5及びＹ6は、互いに独立して、−Ｎ（Ｇ8）−、−Ｏ−、−Ｓ−、又は−Ｎ（Ｇ9
）−ＳＯ2−を表し、
Ｇ8及びＧ9は、互いに独立して、水素原子、炭素原子数１ないし２０のアルキル基、炭素原子数１ないし１０のアルキルアミノ基、ジ（炭素原子数１ないし１０のアルキル）アミノ基、炭素原子数１ないし１０のアルコキシ基又はヒドロキシ基により置換された炭素原子数１ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；炭素原子数５ないし
９のシクロアルケニル基、１、２又は３個の炭素原子数１ないし１０のアルキル基により置換された炭素原子数５ないし９のシクロアルケニル基；フェニル基、炭素原子数１ないし１０のアルキル基、炭素原子数１ないし１０のアルキルオキシ基及びヒドロキシ基からなる群より選択される１、２又は３個の基により置換されたフェニル基；炭素原子数７ないし９のフェニルアルキル基、炭素原子数１ないし１０のアルキル基、炭素原子数１ないし１０のアルキルオキシ基及びヒドロキシ基からなる群より選択される１、２又は３個の基によりフェニル基上で置換された炭素原子数７ないし９のフェニルアルキル基；未置換であるか又は置換された５又は６員環のヘテロ環基、又はポリオキシアルキレン残基を表し、及び
Ｚ2は、炭素原子数５ないし２５のアルカントリイル基又は２，４，６−トリアジントリ
イル基を表す。］
で表されるアントラキノン誘導体、及び
（ｂ−Ｉ）遷移金属の有機塩
を含む添加剤混合物。
【請求項１５】
２，６−ビス［オクタデシルオキシ］アントラキノン、
１−（４，６−ビス［ジブチルアミノ］−［１，３，５］−トリアジン−２−イルアミノ）−アントラキノン、
２−（４，６−ビス［ジブチルアミノ］−［１，３，５］−トリアジン−２−イルアミノ）−アントラキノン、
２，６−ビス［４，６−ビス［ジブチルアミノ］−［１，３，５］−トリアジン−２−イルオキシ］−アントラキノン、
２−（２−エチル−ヘキシルオキシ）−１−オクタデシルオキシ−アントラキノン、
１，２−ビス［オクタデシルオキシ］アントラキノン、
１，２−ビス［２−エチル−ヘキシルオキシ］アントラキノン、
１，２−ビス［オクチルオキシ］アントラキノン、
１，５−ビス［２−エチル−ヘキシルオキシ］アントラキノン、
９，１０−ジオキソ−９，１０−ジヒドロ−アントラセン−２−スルホン酸ドデシルアミド、
２，６−ビス［ステアロイルオキシ］アントラキノン、及び
ビス［９，１０−ジオキソ−９，１０−ジヒドロ−アントラセン−２−スルホン酸］−１'，１２'−ドデカンジイルジアミド
からなる群より選択されるアントラキノン誘導体。
【請求項１６】
熱可塑性の天然又は合成ポリマー又はワックス、及び
請求項１５に定義される少なくとも１種のアントラキノン誘導体
を含む組成物。
【請求項１７】
（ａ）有機ポリマー、及び
（ｂ）請求項５に定義される式（Ａ）又は（Ｂ）で表されるアントラキノン誘導体
を含む組成物から作られた農業用品。
【請求項１８】
（ａ）有機ポリマー。
（ｂ−Ｉ）前記有機ポリマーの質量に対し、遷移金属の有機塩を０．００５ないし１０質量％、
（ｂ−ＩＩ）前記有機ポリマーの質量に対し、無機過酸化物又は無機超酸化物を１ないし１０質量％
を含む組成物
から作られたポリマー製品。
【請求項１９】
（ａ）有機ポリマー、及び
（ｂ−ＩＩ）前記有機ポリマーの質量に対し、アルカリ金属又はアルカリ土類金属の無機過酸化物、或いはアルカリ金属の無機超酸化物、或いは過酸化亜鉛を１ないし１０質量％を含む組成物
から作られたポリマー製品。